(57)【要約】【課題】  移動通信端末機に内蔵されたデータをＲＴＰ／ＲＴＣＰを利用してＰＣやノートブックコンピュータのようなターミナルに提供することにより、遠隔でリアルタイムに移動通信端末機の画像及び音声を視聴することができ、ターミナルから入力されたユーザの命令をＲＴＳＰ拡張メソッドにより移動通信端末機に転送することにより、遠隔で移動通信端末機を自由に制御し得る移動通信端末機の遠隔制御システム及びその方法を提供する。【解決手段】  ユーザにより入力された命令を利用してＲＴＳＰ要請メッセージを生成して転送するターミナル３００と、前記転送されたＲＴＳＰ要請メッセージからキーパッドスキャンコード値を抽出し、前記抽出されたキーパッドスキャンコード値によって制御される移動通信端末機２００とを含んで移動通信端末機の遠隔制御システムを構成する。【選択図】  図１
2005348396.tif 000002
【特許請求の範囲】
【請求項１】
ユーザにより入力された命令を利用してＲＴＳＰ要請メッセージを生成して転送するターミナルと、
前記転送されたＲＴＳＰ要請メッセージからキーパッドスキャンコード値を抽出し、前記抽出されたキーパッドスキャンコード値によって制御される移動通信端末機と、
を含むことを特徴とする移動通信端末機の遠隔制御システム。
【請求項２】
前記ターミナルは、
前記ユーザにより入力された命令に該当するキーパッドスキャンコード値を発生するユーザインターフェースと、
前記発生したキーパッドスキャンコード値を利用して前記ＲＴＳＰ要請メッセージを生成するＲＴＳＰ制御モジュールと、
前記生成されたＲＴＳＰ要請メッセージを転送する通信モジュールと、
を含むことを特徴とする請求項１に記載の移動通信端末機の遠隔制御システム。
【請求項３】
前記移動通信端末機は、
前記ＲＴＳＰ要請メッセージを受信する通信モジュールと、
前記受信されたＲＴＳＰ要請メッセージから前記キーパッドスキャンコード値を抽出するＲＴＳＰ制御モジュールと、
前記抽出されたキーパッドスキャンコード値を前記移動通信端末機のキーパッド値に変換して、キーパッドバッファに注入するキーパッドバッファインジェクションモジュールと、
を含むことを特徴とする請求項１に記載の移動通信端末機の遠隔制御システム。
【請求項４】
前記移動通信端末機は、
内蔵されたカメラ及びマイクから画像及び音声を感知する感知モジュールと、
前記感知された画像及び音声のデータをメモリに保存及び制御する制御部と、
前記保存されたデータをストリームキャプチャするフレームバッファストリームキャプチャモジュールと、
をさらに含むことを特徴とする請求項１に記載の移動通信端末機の遠隔制御システム。
【請求項５】
前記ＲＴＳＰ制御モジュールは、前記ＲＴＳＰ要請メッセージに対するＲＴＳＰ応答メッセージを生成することを特徴とする請求項３に記載の移動通信端末機の遠隔制御システム。
【請求項６】
前記ＲＴＳＰ応答メッセージは、前記移動通信端末機の通信モジュールを通じて前記ターミナルに転送されることを特徴とする請求項５に記載の移動通信端末機の遠隔制御システム。
【請求項７】
前記キーパッドバッファは、前記変換されたキーパッド値、及び前記移動通信端末機のキーパッドから入力されるキーパッド値を制御部に転送することを特徴とする請求項３に記載の移動通信端末機の遠隔制御システム。
【請求項８】
前記感知モジュールは、ユーザにより予め設定された条件に該当すると、画像及び音声を撮影及び録音することを特徴とする請求項４に記載の移動通信端末機の遠隔制御システム。
【請求項９】
前記生成されたＲＴＳＰ要請メッセージは、ユーザによる前記命令の入力に所要する所要時間と基準時間との比較によって異なるように生成されるメッセージであることを特徴とする請求項２に記載の移動通信端末機の遠隔制御システム。
【請求項１０】
前記異なるように生成されるメッセージは、互いに異なるキーパッドスキャンコード値を有することを特徴とする請求項９に記載の移動通信端末機の遠隔制御システム。
【請求項１１】
前記基準時間は、前記ユーザインターフェースに設定されていることを特徴とする請求項９に記載の移動通信端末機の遠隔制御システム。
【請求項１２】
前記生成されたＲＴＳＰ要請メッセージは、キーパッドのキーを前記基準時間以前に押して離す場合に生成されるＰｕｓｈｅｄを含むことを特徴とする請求項９に記載の移動通信端末機の遠隔制御システム。
【請求項１３】
前記生成されたＲＴＳＰ要請メッセージは、前記キーパッドのキーを前記基準時間以上押す場合に生成されるＰｒｅｓｓｅｄを含むことを特徴とする請求項９に記載の移動通信端末機の遠隔制御システム。
【請求項１４】
前記生成されたＲＴＳＰ要請メッセージは、前記キーパッドのキーを前記基準時間以上押して離す場合に生成されるＲｅｌｅａｓｅｄを含むことを特徴とする請求項９に記載の移動通信端末機の遠隔制御システム。
【請求項１５】
前記ターミナルは、ＰＣ又はノートブックコンピュータであることを特徴とする請求項１に記載の移動通信端末機の遠隔制御システム。
【請求項１６】
前記生成されたＲＴＳＰ要請メッセージは、前記異なるように生成されるメッセージのキーパッドスキャンコード値を含んで転送されることを特徴とする請求項９に記載の移動通信端末機の遠隔制御システム。
【請求項１７】
ユーザにより入力された命令によってＲＴＳＰ要請メッセージを生成して転送する段階と、
前記転送されたＲＴＳＰ要請メッセージからキーパッドスキャンコード値を抽出し、前記抽出されたキーパッドスキャンコード値によって制御する段階と、
を含むことを特徴とする移動通信端末機の遠隔制御方法。
【請求項１８】
前記ＲＴＳＰ要請メッセージを生成して転送する段階は、
前記ユーザにより入力された命令に該当するキーパッドスキャンコード値を発生する段階と、
前記発生したキーパッドスキャンコード値によって前記ＲＴＳＰ要請メッセージを生成する段階と、
前記生成されたＲＴＳＰ要請メッセージを転送する段階と、
を含むことを特徴とする請求項１７に記載の移動通信端末機の遠隔制御方法。
【請求項１９】
前記キーパッドスキャンコード値によって制御する段階は、
前記ＲＴＳＰ要請メッセージを受信する段階と、
前記受信されたＲＴＳＰ要請メッセージから前記キーパッドスキャンコード値を抽出する段階と、
前記抽出されたキーパッドスキャンコード値を移動通信端末機のキーパッド値に変換してキーパッドバッファに注入して制御する段階と、
を含むことを特徴とする請求項１７に記載の移動通信端末機の遠隔制御方法。
【請求項２０】
前記キーパッドスキャンコード値によって制御する段階は、
内蔵されたカメラ及びマイクから画像及び音声を感知する段階と、
前記感知された画像及び音声のデータを保存及び制御する段階と、
前記保存されたデータをストリームキャプチャする段階と、
を含むことを特徴とする請求項１７に記載の移動通信端末機の遠隔制御方法。
【請求項２１】
前記画像及び音声を感知する段階は、
ユーザにより予め設定された条件に該当すると、画像及び音声を撮影及び録音する段階を含むことを特徴とする請求項２０に記載の移動通信端末機の遠隔制御方法。
【請求項２２】
前記生成されたＲＴＳＰ要請メッセージは、ユーザによる前記命令の入力に所要する所要時間と基準時間との比較によって異なるように生成されるメッセージであることを特徴とする請求項１７に記載の移動通信端末機の遠隔制御方法。
【請求項２３】
前記異なるように生成されるメッセージは、互いに異なるキーパッドスキャンコード値を有することを特徴とする請求項２２に記載の移動通信端末機の遠隔制御方法。
【請求項２４】
前記生成されたＲＴＳＰ要請メッセージは、キーパッドのキーを前記基準時間以前に押して離す場合に生成されるＰｕｓｈｅｄを含むことを特徴とする請求項２２に記載の移動通信端末機の遠隔制御方法。
【請求項２５】
前記生成されたＲＴＳＰ要請メッセージは、前記キーパッドのキーを前記基準時間以上押す場合に生成されるＰｒｅｓｓｅｄを含むことを特徴とする請求項２２に記載の移動通信端末機の遠隔制御方法。
【請求項２６】
前記生成されたＲＴＳＰ要請メッセージは、前記キーパッドのキーを前記基準時間以上押して離す場合に生成されるＲｅｌｅａｓｅｄを含むことを特徴とする請求項２２に記載の移動通信端末機の遠隔制御方法。
【請求項２７】
前記生成されたＲＴＳＰ要請メッセージは、前記異なるように生成されるメッセージのキーパッドスキャンコード値を含んで転送されることを特徴とする請求項２２に記載の移動通信端末機の遠隔制御方法。
【発明の詳細な説明】
【技術分野】
【０００１】
本発明は、移動通信端末機の遠隔制御システムに関し、特に、ＲＴＳＰ(Real Time Streaming Protocol)拡張メソッドにより移動通信端末機を遠隔制御し得る移動通信端末機の遠隔制御システムに関する。
【背景技術】
【０００２】
一般に、移動通信サービス事業者は、ユーザに無線インターネット接続、ＶｏＤ(Video on Demand)サービス、文字／マルチメディアメッセージの転送、及び無線オンラインゲームなどのように、通信機能と連係する機能を提供し、移動通信端末機製造社は、ユーザにカメラ、メモ作成、スケジュール管理、モーニングコール機能などのように、通信機能と連係せずに自体的に行う機能を提供する。
【０００３】
移動通信端末機が提供する機能中、ＶｏＤサービスとは、ユーザがＶｏＤサーバーから所望のメディアコンテンツを受信してリアルタイムに再生するサービスをいう。移動通信端末機は、ＶｏＤサービスを提供するために、ユーザにより選択されたメディアコンテンツに該当する命令をＶｏＤサーバーに転送し、ＶｏＤサーバーは、ユーザにより選択されたメディアコンテンツに該当するパケットを、ストリーミング方式によりＲＴＰ(Real-time Transport Protocol)及びＲＴＣＰ(Real-time Transport ControlProtocol)を利用して移動通信端末機に転送する。移動通信端末機が前記転送されたパケットを再生することによって、ユーザは最終的に選択したメディアコンテンツのサービスを受ける。ユーザがメディアコンテンツのサービスを受けている間、移動通信端末機のキーパッドを利用した再生(play)、一時停止(pause)、早送り(fast-forward)、巻き戻し(rewind)などの簡単な命令を入力すると、移動通信端末機はＲＴＳＰを利用して該当命令をＶｏＤサーバーに転送する。
【０００４】
このように、ユーザは、移動通信端末機に備えられたキーパッドを利用して命令を入力するが、場合によっては、ＰＣやノートブックコンピュータなどの第３の装置を利用して遠隔で移動通信端末機に命令を入力することもできる。
【０００５】
図７は、一般のＶｏＤ端末機の内部構成を示したブロック図である。
【０００６】
図７に示すように、一般のＶｏＤ端末機は、制御部１０２、キーパッドバッファ１０４、キーパッド１０６、フレームバッファ１０８、ＬＣＤスクリーン１１０、デコーダ１１２、ＲＴＰ／ＲＴＣＰモジュール１１４、ＲＴＳＰモジュール１１６、ＣＤＭＡデータコール通信モジュール(CDMA Data Call Communication Module)１１８などを含む。
【０００７】
ユーザは、移動通信端末機によりＶｏＤサービスを受けようとする場合、移動通信端末機によりＶｏＤサーバー(図示せず)に接続して、所望のメディアコンテンツを選択し、ＶｏＤサーバーは、ユーザにより選択されたメディアコンテンツに該当するパケットを、ＲＴＰ／ＲＴＣＰを利用して移動通信端末機に転送する。
【０００８】
移動通信端末機は、ＶｏＤサーバーから転送されたパケットを、ＣＤＭＡデータコール通信モジュール１１８により受信し、受信されたメディアコンテンツのパケットは、ＲＴＰ／ＲＴＣＰモジュール１１４に入力されてストリーミング再生のための処理を受けてデコーダ１１２に入力される。デコーダ１１２は、ＶｏＤサーバーから圧縮されて転送されたデータの圧縮を解除し、圧縮が解除されたデータは、制御部１０２の制御によりフレームバッファ１０８に転送される。フレームバッファ１０８は、受信されたパケットをバッファリングしてＬＣＤドライバ(図示せず)に入力し、ＬＣＤドライバは、入力されたデータをＬＣＤスクリーン１１０に出力する。ＬＣＤスクリーン１１０は、最終的にユーザにより選択されたメディアコンテンツを画面に表示し、ユーザは、ＬＣＤスクリーン１１０に出力される画像を視聴できるようになる。
【０００９】
もし、ユーザが選択したコンテンツを視聴する間、移動通信端末機のキーパッド１０６を利用して再生、一時停止、早送り、巻き戻しなどの簡単な命令を入力する場合、その入力された命令は、制御部１０２の制御によりＲＴＳＰモジュール１１６に転送される。その後、ＲＴＳＰモジュール１１６は、転送された命令をカプセル化(encapsulation)した後に、ＣＤＭＡデータコール通信モジュール１１８を経てＶｏＤサーバーに転送する。
【００１０】
このように、ＲＴＰ／ＲＴＣＰ及びＲＴＳＰを利用するＶｏＤサービスは、移動通信端末機からＶｏＤサーバー側に、動画像の転送は、ＶｏＤサーバーから移動通信端末機側に行われる。
【発明の開示】
【発明が解決しようとする課題】
【００１１】
しかしながら、このような一般のＶｏＤサービスにおいては、移動通信端末機の画像出力が端末機に備えられたＬＣＤスクリーンによってのみ出力されるため、ユーザは、長時間視聴する場合、目の疲れを感じるようになり、小さいＬＣＤスクリーンにより、もどかしさを感じるようになる。
【００１２】
また、従来のＲＴＳＰを利用する遠隔制御可能な移動通信端末機がマルチメディアストリーミングを転送する場合、移動通信端末機のキーパッドを第３の装置(ＰＣ、ノートブックコンピュータ、その他の移動通信端末機など)を利用して自由に制御し得ないという問題点があった。
【００１３】
従って、本発明の目的は、ＲＴＳＰ拡張メソッドを利用して移動通信端末機を遠隔で制御することにより、移動通信端末機をマルチメディアハブとして発展させることにある。
【課題を解決するための手段】
【００１４】
このような目的を達成するために、本発明による移動通信端末機の遠隔制御システムは、ユーザにより入力された命令を利用してＲＴＳＰ要請メッセージを生成して転送するターミナルと、前記転送されたＲＴＳＰ要請メッセージからキーパッドスキャンコード値を抽出し、前記抽出されたキーパッドスキャンコード値によって制御される移動通信端末機とを含むことを特徴とする。
【００１５】
また、前記ターミナルは、前記ユーザにより入力された命令に該当するキーパッドスキャンコード値を発生するユーザインターフェースと、前記発生したキーパッドスキャンコード値を利用して前記ＲＴＳＰ要請メッセージを生成するＲＴＳＰ制御モジュールと、前記生成されたＲＴＳＰ要請メッセージを転送する通信モジュールとを含むことを特徴とする。
【００１６】
また、前記移動通信端末機は、前記ＲＴＳＰ要請メッセージを受信する通信モジュールと、前記受信されたＲＴＳＰ要請メッセージから前記キーパッドスキャンコード値を抽出するＲＴＳＰ制御モジュールと、前記抽出されたキーパッドスキャンコード値を前記移動通信端末機のキーパッド値に変換して、キーパッドバッファに注入するキーパッドバッファインジェクションモジュールとを含むことを特徴とする。
【００１７】
また、前記移動通信端末機は、内蔵されたカメラ及びマイクから画像及び音声を感知する感知モジュールをさらに含むことを特徴とする。
【００１８】
そして、本発明による移動通信端末機の遠隔制御方法は、ユーザにより入力された命令によってＲＴＳＰ要請メッセージを生成して転送する段階と、前記転送されたＲＴＳＰ要請メッセージからキーパッドスキャンコード値を抽出し、前記抽出されたキーパッドスキャンコード値によって制御する段階とを含むことを特徴とする。
【００１９】
また、前記ＲＴＳＰ要請メッセージを生成して転送する段階は、前記ユーザにより入力された命令に該当するキーパッドスキャンコード値を発生する段階と、前記発生したキーパッドスキャンコード値によって前記ＲＴＳＰ要請メッセージを生成する段階と、前記生成されたＲＴＳＰ要請メッセージを転送する段階とを含むことを特徴とする。
【００２０】
また、前記キーパッドスキャンコード値によって制御する段階は、前記ＲＴＳＰ要請メッセージを受信する段階と、前記受信されたＲＴＳＰ要請メッセージから前記キーパッドスキャンコード値を抽出する段階と、前記抽出されたキーパッドスキャンコード値を移動通信端末機のキーパッド値に変換してキーパッドバッファに注入して制御する段階とを含むことを特徴とする。
【００２１】
また、前記移動通信端末機は、内蔵されたデータ、並びにカメラ及びマイクから感知された画像及び音声を前記ターミナルに転送することを特徴とする。
【００２２】
項目１．
ユーザにより入力された命令を利用してＲＴＳＰ要請メッセージを生成して転送するターミナルと、
前記転送されたＲＴＳＰ要請メッセージからキーパッドスキャンコード値を抽出し、前記抽出されたキーパッドスキャンコード値によって制御される移動通信端末機と、
を含むことを特徴とする移動通信端末機の遠隔制御システム。
【００２３】
項目２．
前記ターミナルは、
前記ユーザにより入力された命令に該当するキーパッドスキャンコード値を発生するユーザインターフェースと、
前記発生したキーパッドスキャンコード値を利用して前記ＲＴＳＰ要請メッセージを生成するＲＴＳＰ制御モジュールと、
前記生成されたＲＴＳＰ要請メッセージを転送する通信モジュールと、
を含むことを特徴とする項目１に記載の移動通信端末機の遠隔制御システム。
【００２４】
項目３．
前記移動通信端末機は、
前記ＲＴＳＰ要請メッセージを受信する通信モジュールと、
前記受信されたＲＴＳＰ要請メッセージから前記キーパッドスキャンコード値を抽出するＲＴＳＰ制御モジュールと、
前記抽出されたキーパッドスキャンコード値を前記移動通信端末機のキーパッド値に変換して、キーパッドバッファに注入するキーパッドバッファインジェクションモジュールと、
を含むことを特徴とする項目１に記載の移動通信端末機の遠隔制御システム。
【００２５】
項目４．
前記移動通信端末機は、
内蔵されたカメラ及びマイクから画像及び音声を感知する感知モジュールと、
前記感知された画像及び音声のデータをメモリに保存及び制御する制御部と、
前記保存されたデータをストリームキャプチャするフレームバッファストリームキャプチャモジュールと、
をさらに含むことを特徴とする項目１に記載の移動通信端末機の遠隔制御システム。
【００２６】
項目５．
前記ＲＴＳＰ制御モジュールは、前記ＲＴＳＰ要請メッセージに対するＲＴＳＰ応答メッセージを生成することを特徴とする項目３に記載の移動通信端末機の遠隔制御システム。
【００２７】
項目６．
前記ＲＴＳＰ応答メッセージは、前記移動通信端末機の通信モジュールを通じて前記ターミナルに転送されることを特徴とする項目５に記載の移動通信端末機の遠隔制御システム。
【００２８】
項目７．
前記キーパッドバッファは、前記変換されたキーパッド値、及び前記移動通信端末機のキーパッドから入力されるキーパッド値を制御部に転送することを特徴とする項目３に記載の移動通信端末機の遠隔制御システム。
【００２９】
項目８．
前記感知モジュールは、ユーザにより予め設定された条件に該当すると、画像及び音声を撮影及び録音することを特徴とする項目４に記載の移動通信端末機の遠隔制御システム。
【００３０】
項目９．   
前記生成されたＲＴＳＰ要請メッセージは、ユーザによる前記命令の入力に所要する所要時間と基準時間との比較によって異なるように生成されるメッセージであることを特徴とする項目２に記載の移動通信端末機の遠隔制御システム。
【００３１】
項目１０．
前記異なるように生成されるメッセージは、互いに異なるキーパッドスキャンコード値を有することを特徴とする項目９に記載の移動通信端末機の遠隔制御システム。
【００３２】
項目１１．
前記基準時間は、前記ユーザインターフェースに設定されていることを特徴とする項目９に記載の移動通信端末機の遠隔制御システム。
【００３３】
項目１２．
前記生成されたＲＴＳＰ要請メッセージは、キーパッドのキーを前記基準時間以前に押して離す場合に生成されるＰｕｓｈｅｄを含むことを特徴とする項目９に記載の移動通信端末機の遠隔制御システム。
【００３４】
項目１３．
前記生成されたＲＴＳＰ要請メッセージは、前記キーパッドのキーを前記基準時間以上押す場合に生成されるＰｒｅｓｓｅｄを含むことを特徴とする項目９に記載の移動通信端末機の遠隔制御システム。
【００３５】
項目１４．
前記生成されたＲＴＳＰ要請メッセージは、前記キーパッドのキーを前記基準時間以上押して離す場合に生成されるＲｅｌｅａｓｅｄを含むことを特徴とする項目９に記載の移動通信端末機の遠隔制御システム。
【００３６】
項目１５．
前記ターミナルは、ＰＣ又はノートブックコンピュータであることを特徴とする項目１に記載の移動通信端末機の遠隔制御システム。
【００３７】
項目１６．
前記生成されたＲＴＳＰ要請メッセージは、前記異なるように生成されるメッセージのキーパッドスキャンコード値を含んで転送されることを特徴とする項目９に記載の移動通信端末機の遠隔制御システム。
【００３８】
項目１７．
ユーザにより入力された命令によってＲＴＳＰ要請メッセージを生成して転送する段階と、
前記転送されたＲＴＳＰ要請メッセージからキーパッドスキャンコード値を抽出し、前記抽出されたキーパッドスキャンコード値によって制御する段階と、
を含むことを特徴とする移動通信端末機の遠隔制御方法。
【００３９】
項目１８．
前記ＲＴＳＰ要請メッセージを生成して転送する段階は、
前記ユーザにより入力された命令に該当するキーパッドスキャンコード値を発生する段階と、
前記発生したキーパッドスキャンコード値によって前記ＲＴＳＰ要請メッセージを生成する段階と、
前記生成されたＲＴＳＰ要請メッセージを転送する段階と、
を含むことを特徴とする項目１７に記載の移動通信端末機の遠隔制御方法。
【００４０】
項目１９．
前記キーパッドスキャンコード値によって制御する段階は、
前記ＲＴＳＰ要請メッセージを受信する段階と、
前記受信されたＲＴＳＰ要請メッセージから前記キーパッドスキャンコード値を抽出する段階と、
前記抽出されたキーパッドスキャンコード値を移動通信端末機のキーパッド値に変換してキーパッドバッファに注入して制御する段階と、
を含むことを特徴とする項目１７に記載の移動通信端末機の遠隔制御方法。
【００４１】
項目２０．
前記キーパッドスキャンコード値によって制御する段階は、
内蔵されたカメラ及びマイクから画像及び音声を感知する段階と、
前記感知された画像及び音声のデータを保存及び制御する段階と、
前記保存されたデータをストリームキャプチャする段階と、
を含むことを特徴とする項目１７に記載の移動通信端末機の遠隔制御方法。
【００４２】
項目２１．
前記画像及び音声を感知する段階は、
ユーザにより予め設定された条件に該当すると、画像及び音声を撮影及び録音する段階を含むことを特徴とする項目２０に記載の移動通信端末機の遠隔制御方法。
【００４３】
項目２２．
前記生成されたＲＴＳＰ要請メッセージは、ユーザによる前記命令の入力に所要する所要時間と基準時間との比較によって異なるように生成されるメッセージであることを特徴とする項目１７に記載の移動通信端末機の遠隔制御方法。
【００４４】
項目２３．
前記異なるように生成されるメッセージは、互いに異なるキーパッドスキャンコード値を有することを特徴とする項目２２に記載の移動通信端末機の遠隔制御方法。
【００４５】
項目２４．
前記生成されたＲＴＳＰ要請メッセージは、キーパッドのキーを前記基準時間以前に押して離す場合に生成されるＰｕｓｈｅｄを含むことを特徴とする項目２２に記載の移動通信端末機の遠隔制御方法。
【００４６】
項目２５．
前記生成されたＲＴＳＰ要請メッセージは、前記キーパッドのキーを前記基準時間以上押す場合に生成されるＰｒｅｓｓｅｄを含むことを特徴とする項目２２に記載の移動通信端末機の遠隔制御方法。
【００４７】
項目２６．
前記生成されたＲＴＳＰ要請メッセージは、前記キーパッドのキーを前記基準時間以上押して離す場合に生成されるＲｅｌｅａｓｅｄを含むことを特徴とする項目２２に記載の移動通信端末機の遠隔制御方法。
【００４８】
項目２７．
前記生成されたＲＴＳＰ要請メッセージは、前記異なるように生成されるメッセージのキーパッドスキャンコード値を含んで転送されることを特徴とする項目２２に記載の移動通信端末機の遠隔制御方法。
【発明の効果】
【００４９】
本発明による移動通信端末機の遠隔制御システム及びその方法は、ＲＴＰ／ＲＴＣＰを利用する移動通信端末機がＰＣやノートブックコンピュータのような画像及び音声出力インターフェースを有する装置にデータを提供することができるため、ユーザは遠隔でリアルタイムに移動通信端末機の画像及び音声を視聴することができるという効果がある。
【００５０】
また、本発明は、移動通信端末機がＲＴＳＰを通じてＰＣやノートブックコンピュータなどのターミナルから命令を受けるため、ユーザが遠隔で移動通信端末機を自由に制御することにより、カメラフォンを遠隔監視閉鎖回路カメラの代用に使用することができるという効果がある。且つ、移動通信端末機がＰＣやノートブックコンピュータなどの装置と画像資料及びキーパッドの入力を交換することができるため、移動通信端末機がマルチメディアハブとして発展できるようになる。
【００５１】
また、本発明は、移動通信端末機上で動作するゲーム画面をコンポーネント端子、ＲＣＡ端子、Ｓ−Ｖｉｄｅｏ端子を通じて大型ＴＶの画面に出力することができるため、移動通信端末機を家庭用ゲームプレイヤーの代用に使用することができるという効果がある。且つ、移動通信端末機で動作するＶｏＤ機能を利用する動画像の画面を、ＰＣやノートブックコンピュータに装着されているＤＶＩ端子やＤ−Ｓｕｂ端子を通じて高解像度モニタに出力すると、移動通信端末機をＶＣＲやＤＶＤプレイヤーの代用に使用することができる。
【００５２】
また、本発明を利用したカメラフォンを製造する場合、キーパッド自体を遠隔で制御することができるため、カメラフォンは完全な無線監視カメラとして発展できるようになる。
【発明を実施するための最良の形態】
【００５３】
以下、添付の図面に基づいて本発明の好ましい実施形態を説明する。
【００５４】
本発明の基本概念は、ＶｏＤフォンが ＲＴＳＰを通じてＶｏＤサーバーに命令を転送するということを逆に考えて、ＰＣやノートブックコンピュータなどの第３の装置におけるキーパッドの入力がＲＴＳＰを通じてＶｏＤフォンに転送されて遠隔でＶｏＤフォンの動作を制御し得るようにしたのである。
【００５５】
図１は、本発明による移動通信端末機の遠隔制御システムの構成を示したブロック図である。
【００５６】
図１に示すように、本発明による移動通信端末機の遠隔制御システムは、ユーザによるキーの入力により発生したキーパッドスキャンコード値を利用して、ＲＴＳＰ要請メッセージを発生し、前記ＲＴＳＰ要請メッセージをＣＤＭＡ網を通じて転送するターミナル３００(例えば、ＰＣやノートブックコンピュータなど)と、前記ＲＴＳＰ要請メッセージを受信し、これに対するＲＴＳＰ応答メッセージを逆方向に転送し、前記ＲＴＳＰ要請メッセージからキーパッドスキャンコード値を抽出し、前記抽出されたキーパッドスキャンコード値によって制御される移動通信端末機２００とを含む。
【００５７】
また、移動通信端末機２００は、制御部２０２と、ＲＴＳＰ制御モジュール２０４と、キーパッドバッファインジェクションモジュール２０６と、キーパッドバッファ２０８と、フレームバッファストリームキャプチャモジュール２１４と、感知モジュール２１８と、カメラ２２０と、マイク２２２と、ＲＴＰ／ＲＴＣＰモジュール２２８と、ＣＤＭＡデータコール通信モジュール２２４とを含む。
【００５８】
また、ターミナル３００は、制御部３０２と、ＣＤＭＡデータコール通信モジュール３０４と、ＣＤＭＡモデムドライバ３０６と、ＲＴＳＰ制御モジュール３０８と、ユーザインターフェース３１０と、ＲＴＰ／ＲＴＣＰモジュール３１２と、モニタ３１８とを含む。
【００５９】
以下、このような本発明による移動通信端末機の遠隔制御システムについてより詳しく説明する。
【００６０】
ユーザが移動通信端末機２００に内蔵されたカメラ２２０及びマイク２２２を利用して撮影及び録音をしている間、ユーザが予め設定した条件に該当する画像及び音声が感知されると、感知モジュール２１８は、制御部２０２の制御下に感知された画像及び音声のデータをキャプチャしてフレームバッファ２１２に転送し、フレームバッファ２１２は、バッファリングを行った後、フレームバッファストリームキャプチャモジュール２１４に転送する。一方、ユーザが移動通信端末機２００のメモリ(図示せず)に保存された画像及び音声のデータを、ターミナル３００に転送しようとする場合、移動通信端末機２００のメモリに保存された画像及び音声のデータは、フレームバッファ２１２に転送された後、フレームバッファストリームキャプチャモジュール２１４に転送される。
【００６１】
フレームバッファストリームキャプチャモジュール２１４は、画像及び音声のデータを連続してキャプチャした後に、移動通信端末機２００のＬＣＤスクリーン２１６及びスピーカー(図示せず)に転送するが、前記キャプチャされた画像及び音声のデータをターミナル３００に転送しようとする場合は、エンコーダ２２６に転送する。
【００６２】
エンコーダ２２６は、フレームバッファストリームキャプチャモジュール２１４から受信したデータを符号化した後、ＲＴＰ／ＲＴＣＰモジュール２２８に転送する。ＲＴＰ／ＲＴＣＰモジュール２２８は、ＲＴＰ／ＲＴＣＰを利用して転送されたデータをカプセル化した後、ＣＤＭＡデータコール通信モジュール２２４を通じて連続的にターミナル３００に転送する。
【００６３】
ＣＤＭＡデータコール通信モジュール２２４を通じて連続的にターミナル３００に転送されるデータは、ターミナル３００のＣＤＭＡデータコール通信モジュール３０４に受信され、ＣＤＭＡモデムドライバ３０６に転送される。ＣＤＭＡモデムドライバ３０６は、ターミナル３００の制御部３０２の制御下に受信されたデータを復調した後、ＲＴＰ／ＲＴＣＰモジュール３１２に転送し、ＲＴＰ／ＲＴＣＰモジュール３１２は、ＣＤＭＡモデムドライバ３０６から受信したデータをデコーダ３１４に転送し、デコーダ３１４は、転送されたデータを復号化した後、フレームバッファ３１６に転送する。フレームバッファ３１６は、転送されたデータを再生するためにバッファリングを行った後にモニタ３１８に出力し、モニタ３１８は、バッファリングされて出力されたデータをアナログＲＧＢ(Red Green Blue)値で出力する。
【００６４】
もし、ユーザが移動通信端末機２００から転送される画像及び音声のデータのサービスを受けている間、ユーザがターミナル３００により移動通信端末機２００を制御しようとする場合、ユーザは、ターミナル３００のユーザインターフェース(キーパッド、マウスなど)３１０により命令を入力する。命令が入力されると、その入力された命令に該当するキーパッドスキャンコード値が発生し、前記発生したキーパッドスキャンコード値をＲＴＳＰ制御モジュール３０８に転送する。ＲＴＳＰ制御モジュール３０８は、前記キーパッドスキャンコード値をカプセル化し、ＲＴＳＰ要請メッセージを生成させる。このように生成されたＲＴＳＰ要請メッセージは、ソケットＩ／Ｏを通じてＴＣＰ／ＩＰ(TransmissionControl Protocol/Internet Protocol)スタック(図示せず)に転送される。ＴＣＰ／ＩＰスタックに転送されたＲＴＳＰ要請メッセージは、ＣＤＭＡモデムドライバ３０６に転送される。ＣＤＭＡモデムドライバ３０６は、ＲＴＳＰ制御モジュール３０８から転送されたデータを変調した後、ＣＤＭＡデータコール通信モジュール３０４に転送し、ＣＤＭＡデータコール通信モジュール３０４は、転送されたデータをエアーリンク(airlink)を通じて移動通信端末機２００のＣＤＭＡデータコール通信モジュール２２４に転送する。
【００６５】
移動通信端末機２００のＣＤＭＡデータコール通信モジュール２２４は、ターミナル３００から受信したデータをＲＴＳＰ制御モジュール２０４に転送し、ＲＴＳＰ制御モジュール２０４は、ＲＴＳＰ応答メッセージを生成した後、前記生成されたＲＴＳＰ応答メッセージを逆方向に転送する。また、ＲＴＳＰ制御モジュール２０４は、受信されたＲＴＳＰ要請メッセージをカプセル解除(decapsulation)し、前記ＲＴＳＰ要請メッセージを解析してターミナル３００のユーザインターフェース３１０で入力されたキーパッドスキャンコード値を抽出した後、前記抽出されたキーパッドスキャンコード値をキーパッドバッファインジェクションモジュール２０６に転送する。キーパッドバッファインジェクションモジュール２０６は、ユーザが入力した命令(キーパッドスキャンコード値又はメニューＩＤ)を移動通信端末機２００のキーコード値に変換してキーパッドバッファ２０８に注入する。キーパッドバッファ２０８は、ターミナル３００で入力されたユーザの命令を、移動通信端末機２００のキーパッド２１０で入力された命令の場合と同一に処理して制御部２０２に転送する。制御部２０２は、キーパッドバッファ２０８から受信した命令を処理して、移動通信端末機２００でキーパッド２１０が押されたような動作を行う。以降の過程は従来と同様である。
【００６６】
図２は、本発明による移動通信端末機の遠隔制御システムにおける移動端末機２００とターミナル３００間の信号フローを示した図である。
【００６７】
図２に示すように、本発明による移動通信端末機の遠隔制御システムにおいて、移動端末機２００でＲＴＰ／ＲＴＣＰを通じて第３の装置であるターミナル３００に画像データを転送すると、ターミナル３００は、前記画像データをリアルタイムに受信してストリーミング再生する。ユーザがターミナル３００のモニタに出力される画像及び音声のサービスを受ける途中、ユーザインターフェース３１０を通じてキーパッドスキャンコード値を入力すると、ターミナル３００は、入力されたキーパッドスキャンコード値を利用してＲＴＳＰ要請メッセージを生成した後、移動端末機２００に転送する。
【００６８】
移動端末機２００は、ＲＴＳＰ要請メッセージを受信すると、これに対するＲＴＳＰ応答メッセージを逆方向にターミナル３００に転送し、ＲＴＳＰ要請メッセージからキーパッドスキャンコード値を抽出する。
【００６９】
本発明においては、キーパッドスキャンコード値を転送するためのＲＴＳＰ拡張メソッドキー及びそれに属する拡張ヘッダーを次のとおり定義する。拡張ヘッダーは、キーパッドのキーを短く押して離す際のＰｕｓｈｅｄと、キーパッドを長く押している際のＰｒｅｓｓｅｄと、キーパッドを長く押して離す際のＲｅｌｅａｓｅｄとを含む。
【００７０】
表１は、ＲＴＳＰ拡張メソッドキーに対するヘッダーフィールドの使用を示す。
【００７１】
【表１】
2005348396.tif 000003
表１の内容をＩＥＴＦ ＲＦＣ２２３４のＡ−ＢＮＦフォーマットに合うように記述すると次の通りである。
【００７２】
【表２】
2005348396.tif 000004
Ａ−ＢＮＦフォーマットは、プロトコルハンドライティング(hand writing)や専用コンパイラを通じて、パーサー(parser)のオートマタテーブル(Automata Table)を作成する際に使用され、これだけでプロトコルパーサーでの実現が可能になる。
【００７３】
図３乃至図５は、表１と前記Ａ−ＢＮＦフォーマットにより拡張されたメソッドキーの一例を示す。
【００７４】
図３は、本発明による拡張ヘッダーＰｕｓｈｅｄのためにやり取りするＲＴＳＰメッセージのフォーマットを示す。前記Ｐｕｓｈｅｄは、ユーザインターフェース上で既設定された基準時間より短い時間の間キーパッドのキーを押して離した場合に発生する。拡張ヘッダーＰｕｓｈｅｄには、１６進数のキーパッドスキャンコード値が入る。
【００７５】
しかしながら、基準時間より長くキーを押している動作を行う必要がある。このために、キーを押すことと離すこと自体をメッセージとして処理しなければならないが、ここで、Ｐｒｅｓｓｅｄ及びＲｅｌｅａｓｅｄを使用する。
【００７６】
図４は、本発明による拡張ヘッダーＰｒｅｓｓｅｄのためにやり取りするＲＴＳＰメッセージのフォーマットを示す。前記Ｐｒｅｓｓｅｄは、ユーザインターフェース上でキーパッドのキーを基準時間より長く押した場合に発生する。拡張ヘッダーＰｒｅｓｓｅｄには、１６進数のキーパッドスキャンコード値が入り、Ｒａｎｇｅは、ｎｐｔ形式でキーが押された時間を示す。
【００７７】
図５は、本発明による拡張ヘッダーＲｅｌｅａｓｅｄのためにやり取りするＲＴＳＰメッセージのフォーマットを示す。前記Ｒｅｌｅａｓｅｄは、ユーザインターフェース上でキーパッドのキーを基準時間より長く押して離した場合に発生する。拡張ヘッダーＲｅｌｅａｓｅｄには、１６進数のキーパッドスキャンコード値が入り、Ｒａｎｇｅは、ｎｐｔ形式でキーが押されてから離されるまでの時間を示す。
【００７８】
以下、図１及び図６を参照して本発明による移動通信端末機の遠隔制御方法を説明する。
【００７９】
図６は、本発明による移動通信端末機の遠隔制御方法のフローを示す図である。
【００８０】
移動通信端末機２００がカメラ２２０、マイク２２２及びメモリ(図示せず)により生成及び保存されたデータを、ＲＴＰ／ＲＴＣＰを利用してターミナル３００に転送し、ターミナル３００は、移動通信端末機２００からデータを受信して再生すると仮定する。
【００８１】
ユーザがターミナル３００のユーザインターフェース３１０を通じてキーパッドのキーを押すと、押されたキーに該当するキーパッドスキャンコード値が発生する(Ｓ１００、Ｓ１０２)。ユーザインターフェース３１０から発生した前記キーパッドスキャンコード値は、ＲＴＳＰ制御モジュール３０８に転送され、ＲＴＳＰ制御モジュール３０８は、前記キーパッドスキャンコード値を利用してＲＴＳＰ要請メッセージを生成する(Ｓ１０４)。前記生成されたＲＴＳＰ要請メッセージは、ソケットＩ／Ｏを通じてＴＣＰ／ＩＰスタックに転送され、前記ＴＣＰ／ＩＰスタックに転送されたＲＴＳＰ要請メッセージは、ターミナル３００のＣＤＭＡデータコール通信モジュール３０４を通じて、移動通信端末機２００のＣＤＭＡデータコール通信モジュール２２４に転送される(Ｓ１０６)。移動通信端末機２００のＣＤＭＡデータコール通信モジュール２２４を通じて受信されたＲＴＳＰ要請メッセージは、ＲＴＳＰ制御モジュール２０４に転送され、ＲＴＳＰ制御モジュール２０４は、ＲＴＳＰ応答メッセージを生成し、前記生成されたＲＴＳＰ応答メッセージを逆方向に転送する。また、ＲＴＳＰ制御モジュール２０４は、前記ＲＴＳＰ要請メッセージからキーパッドスキャンコード値を抽出する(Ｓ１０８)。前記抽出されたキーパッドスキャンコード値は、キーパッドバッファインジェクションモジュール２０６により移動通信端末機２００のキーパッド値に変換された後、キーパッドバッファ２０８に注入される(Ｓ１１０)。キーパッドバッファ２０８に注入された前記変換されたキーパッド値は、移動通信端末機２００のキーパッド２１０で入力された命令と同じ機能を有し、前記キーパッド値によって移動通信端末機２００が制御される(Ｓ１１２)。
【００８２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００８３】
【図１】本発明による移動通信端末機の遠隔制御システムの構成を示したブロック図である。
【図２】本発明による移動通信端末機の遠隔制御システムにおける移動通信端末機とターミナル間の信号フローを示した図である。
【図３】本発明による拡張ヘッダーＰｕｓｈｅｄのためにやり取りするＲＴＳＰメッセージのフォーマットを示した図である。
【図４】本発明による拡張ヘッダーＰｒｅｓｓｅｄのためにやり取りするＲＴＳＰメッセージのフォーマットを示した図である。
【図５】本発明による拡張ヘッダーＲｅｌｅａｓｅｄのためにやり取りするＲＴＳＰメッセージのフォーマットを示した図である。
【図６】本発明による移動通信端末機の遠隔制御方法のフローを示す図である。
【図７】一般のＶｏＤ端末機の内部構成を示したブロック図である。
【符号の説明】
【００８４】
２０２  制御部
２０４  ＲＴＳＰ制御モジュール
２０６  キーパッドバッファインジェクションモジュール
２０８  キーパッドバッファ
２１２  フレームバッファ
２１４  フレームバッファストリームキャプチャモジュール
２２４  ＣＤＭＡデータコール通信モジュール
２２６  エンコーダ
２２８  ＲＴＰ／ＲＴＣＰモジュール
３０８  ＲＴＳＰ制御モジュール
３１０  ユーザインターフェース
３１４  デコーダ
【図１】
2005348396.tif 000005
【図２】
2005348396.tif 000006
【図３】
2005348396.tif 000007
【図４】
2005348396.tif 000008
【図５】
2005348396.tif 000009
【図６】
2005348396.tif 000010
【図７】
2005348396.tif 000011